(57)【要約】      （修正有）【課題】特に停電時に自動的に電力を発生させて供給し照明を行う非常用照明装置を提供する。【解決手段】貫通孔１３により連通する第一タンク１１と第二タンク１２を有する本体を備える。第一タンクには塩水が収容される。第二タンクには、陽極板２０と陰極板３０と送水モジュール４０が設置され、送水モジュールは、貫通孔の開閉を制限する止水部材４２を備える。揚水モジュール５０は、第二タンク底部に設置されるポンプ５１及び水位測定センサ５３と、ポンプと連結されるパイプ５２と、陰極板と陽極板と水位測定センサとポンプとを電気接続する制御ボード５４とを有する。発光部材６０は、制御ボードと電気接続され、複数の発光ダイオードを備える。【選択図】図２
0003167289.tif 000002
【実用新案登録請求の範囲】
【請求項１】
第一タンクと、該第一タンクの下方に位置する第二タンクと、該第二タンクの側壁に穿設される少なくとも１つの嵌合穴と、該第一タンクと第二タンクとの間に形成されると共に、該第一タンクと第二タンクとを連通させる少なくとも１つの貫通孔と、該第一タンクの上部に形成される注ぎ口と、該第一タンクに形成される流入口と、該第一タンクに収容される塩水とを有する本体と、
前記第二タンクに設置される陽極板と、
前記第二タンクの嵌合穴に密嵌される少なくとも１つの陰極板と、
位置決め制御部材と、前記本体の第二タンクに設置されると共に、連接線を介して該位置決め制御部材と連結して貫通孔の開閉を制御する止水部材とを有する送水モジュールと、
前記第二タンクの底部に設置されるポンプと、一端が該ポンプと連結されると共に、他端が前記第一タンクの流入口と連結されるパイプと、該第二タンクの底部に設置される水位測定センサと、前記本体に設置されると共に、前記陰極板と陽極板と水位測定センサとポンプとを電気接続する制御ボードとを有する揚水モジュールと、
前記揚水モジュールの制御ボードと電気接続されると共に、複数の発光ダイオードを備える発光部材とを有することを特徴とする非常用照明装置。
【請求項２】
前記第二タンクは、前側壁に穿設される２つの嵌合穴と、後側壁に穿設される２つの嵌合穴とを有し、該各嵌合穴にそれぞれ密嵌される４枚の陰極板を有することを特徴とする請求項１に記載の非常用照明装置。
【請求項３】
前記第二タンクは、底部に水位制御室が設けられ、
前記ポンプ及び水位測定センサは、該第二タンクの水位制御室の側壁に設置され、その水位測定センサは、２つのセンサ端子を有することを特徴とする請求項２に記載の非常用の照明装置。
【請求項４】
さらに、ケースと、ソケットを備える増幅器と、発光ダイオードレンズとを有し、
前記発光部材及びソケットは、前記ケースに設置され、
前記注ぎ口に、上端が該ケースの上面に貫設されるように注ぎ管が設けられ、
前記発光ダイオードレンズに前記発光部材が設置され、該発光部材が設置された発光ダイオードレンズが前記ケースに設置されることを特徴とする請求項３に記載の非常用照明装置。
【請求項５】
前記本体の上部に補助フレームが設けられ、
前記連接線の一端は、第一タンクを貫通し、補助フレームに掛止される形で位置決め制御部材と連結されることを特徴とする請求項４に記載の非常用照明装置。
【請求項６】
前記位置決め制御部材は、軸体を有する電磁弁であり、
前記連接線の一端は、第一タンクを貫通し、該電磁弁の軸体に連結されることを特徴とする請求項５に記載の非常用照明装置。
【考案の詳細な説明】
【技術分野】
【０００１】
本考案は、特に停電時に自動的に電力を発生させて供給して照明を行う非常用照明装置に関するものである。
【背景技術】
【０００２】
現在の建物物には避難補助装置（例えば、非常用照明装置）を設置することになっており、火災や地震などの災害により停電が発生した際には、このような非常用照明装置により人々を避難通路に誘導する。
【０００３】
従来の非常用照明装置は、鉛蓄電池を設置することにより電力の供給を可能にしているが、該鉛蓄電池の負極及び正極は常に電解液に浸漬されていることから、負極及び正極が電解液により化学反応を起こし、鉛蓄電池からの電力を徐々に弱くしてしまうので、定期的に交換しなければならなく、使用上、非常に不便であった。
【考案の概要】
【考案が解決しようとする課題】
【０００４】
前記既存の非常用照明装置は、その鉛蓄電池を廃棄する場合、通常は地中に埋めるが、埋めた時間が長くなると、次第に鉛蓄電池の電解液中の希硫酸が地中に浸透する虞がある。また、希硫酸は毒性が強く、環境に大きな悪影響を及ぼすものであることから、既存の非常用照明装置には改良の余地があった。
【課題を解決するための手段】
【０００５】
本考案の非常用照明装置は、第一タンクと、該第一タンクの下方に位置する第二タンクと、該第二タンクの側壁に穿設される少なくとも１つの嵌合穴と、該第一タンクと第二タンクとの間に形成されると共に、該第一タンクと第二タンクとを連通させる少なくとも１つの貫通孔と、該第一タンクの上部に形成される注ぎ口と、該第一タンクに形成される流入口と、該第一タンクに収容される塩水とを有する本体と、
前記第二タンクに設置される陽極板と、
前記第二タンクの嵌合穴に密嵌される少なくとも１つの陰極板と、
位置決め制御部材と、前記本体の第二タンクに設置されると共に、連接線を介して該位置決め制御部材と連結して貫通孔の開閉を制御する止水部材とを有する送水モジュールと、
前記第二タンクの底部に設置されるポンプと、一端が該ポンプと連結されると共に、他端が前記第一タンクの流入口と連結されるパイプと、該第二タンクの底部に設置される水位測定センサと、前記本体に設置されると共に、前記陰極板と陽極板と水位測定センサとポンプとを電気接続する制御ボードとを有する揚水モジュールと、
前記揚水モジュールの制御ボードと電気接続されると共に、複数の発光ダイオードを備える発光部材とを有するものである。
【０００６】
前記第二タンクは、前側壁に穿設される２つの嵌合穴と、後側壁に穿設される２つの嵌合穴とを有し、該各嵌合穴にそれぞれ密嵌される４枚の陰極板を有することが好ましい。
【０００７】
前記第二タンクは、底部に水位制御室が設けられ、
前記ポンプ及び水位測定センサは、該第二タンクの水位制御室の側壁に設置され、その水位測定センサは、２つのセンサ端子を有する。
【０００８】
本考案の非常用照明装置はさらに、ケースと、ソケットを備える増幅器と、発光ダイオードレンズとを有し、
前記発光部材及びソケットは、前記ケースに設置され、
前記注ぎ口に、上端が該ケースの上部に貫設されるように注ぎ管が設けられ、
前記発光ダイオードレンズに前記発光部材が設置され、該発光部材が設置された発光ダイオードレンズが前記ケースに設置される。
【０００９】
前記本体の上部に補助フレームが設けられ、
前記連接線一端は、第一タンクを貫通し、補助フレームに掛止される形で位置決め制御部材と連結されることが好ましい。
【００１０】
前記位置決め制御部材は、軸体を有する電磁弁であり、
前記連接線の一端は、第一タンクを貫通し、該電磁弁の軸体に連結されることが好ましい。
【考案の効果】
【００１１】
本考案に係る非常用照明装置は上記の課題を解決するものであり、塩水を用いる蓄電池によって、一般電源の異常時又は停電時に、非常用電力を安定的に供給できるので、極めて実用的である。
【図面の簡単な説明】
【００１２】
【図１】本考案に係る非常用照明装置の斜面図である。
【図２】本考案に係る非常用照明装置の部分分解斜視図である。
【図３】本考案に係る非常用照明装置の側面断面図である。
【図４】本考案に係る非常用照明装置の作動状態を示す正面断面図である。
【図５】本考案に係る非常用照明装置の他の作動状態を示す正面断面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１及び図３に示すように、本考案に係る非常用照明装置における実施例においては、本体１０と、陽極板２０と、陰極板３０と、送水モジュール４０と、揚水モジュール５０と、発光部材６０とを有する。
【００１５】
前記本体１０は、第一タンク１１と、該第一タンク１１の下方に位置する第二タンク１２と、該第一タンク１１と第二タンク１２との間に形成されると共に、該第一タンク１１と第二タンク１２とを連通させる少なくとも１つの貫通孔１３と、該第一タンク１１の上部に形成される注ぎ口１４と、該第一タンク１１に形成される流入口１５とを有し、その内、該第一タンク１１は、塩水を溜めるものであり、該第二タンク１２の少なくとも１つの側壁に嵌合穴１２２が穿設される。
【００１６】
本考案に係る実施例においてはさらに、前記第二タンク１２の前側壁及び後側壁にそれぞれ２つの嵌合穴１２２が穿設されると共に、底部に水位制御室１２１が設けられ、更に、前記本体１０の注ぎ口１４に注ぎ管１４１が設けられると共に、該注ぎ管１４１の開口に蓋部１４２が設置される。
【００１７】
前記陽極板２０は、前記第二タンク１２に設置されるものである。尚、前記陽極板２０は、前側壁及び後側壁と平行するように、垂直に第二タンク１２に設置されることが好ましい。
【００１８】
前記陰極板３０は、前記第二タンク１２の側壁である嵌合穴１２２に、前記陽極板２０と定所の間隔をおいて密嵌される。なお、本考案に係る実施例では、４枚の陰極板３０を有し、該陰極板３０はそれぞれ、前記第二タンク１２の前側壁及び後側壁における嵌合穴１２２に、陽極板２０と平行するように密嵌されることが好ましい。
【００１９】
また、前記陽極板２０は、マグネシウム化合物であってもよく、前記陰極板３０は、炭素粉とポリテトラフルオロエチレン(polytetrafluoroethylene、PTFE)溶液との混合による固態の片体でもよい。尚、それらは、周知技術であるので、詳しい説明を省略する。
【００２０】
前記送水モジュール４０は、位置決め制御部材と、止水部材４２とを有し、その内、該位置決め制御部材は、本体１０の上部に設置される電磁弁４１と、該電磁弁４１に設置されると共に、伸縮可能な軸体４１１とを備え、該止水部材４２は、本体１０の第二タンク１２に設置され、連接線４３を介して電磁弁４１の軸体４１１と連結され、該連接線４３は、一端が該止水部材４２と連結されると共に、他端は、貫通孔１３及び第一タンク１１を通って電磁弁４１の軸体４１１と連結される。
【００２１】
前記の構成によれば、電磁弁４１を駆動させると、軸体４１１が伸長又は縮退し、連接線４３を介して止水部材４２を上下動させることができるので、止水部材４２により貫通孔１３の開閉を制御することができる。
【００２２】
本考案に係る実施例ではさらに、前記本体１０の上部に補助フレーム４４が設けられ、前記連接線４３一端は、第一タンク１１を貫通し、補助フレーム４４に掛止される形で電磁弁４１の軸体４１１と連結されることが好ましく、これにより、止水部材４２をスムーズにの制御することができる。
【００２３】
前記揚水モジュール５０は、ポンプ５１と、パイプ５２と、水位測定センサ５３と、制御ボード５４とを有し、その内、該ポンプ５１は、前記第二タンク１２の底部に設置され、該パイプ５２は、一端が該ポンプ５１と連結されると共に、他端が前記第一タンク１１の流入口１５と連結され、該水位測定センサ５３は、前記第二タンク１２の底部に設置され、該制御ボード５４は、前記本体１０に設置されると共に、内部にタイマー５４１を備え、前記陰極板３０と、陽極板２０と、水位測定センサ５３と、ポンプ５１とを電気接続するものである。
【００２４】
尚、本考案に係る実施例では、前記ポンプ５１及び水位測定センサ５３が、前記第二タンク１２の底部の水位制御室１２１の側壁に設置されると共に、該水位測定センサ５３が、２つのセンサ端子５３１を有することが好ましい。また、前記制御ボード５４は、センサ端子５３１を介して水位制御室１２１の水位を測定すると共に、第二タンク１２に塩水を有するか否かを感知することができる。
【００２５】
前記発光部材６０は、揚水モジュール５０の制御ボード５４と電気接続されると共に、複数の発光ダイオード６１を備える。
【００２６】
本考案に係る実施例はさらに増幅器７０を有し、前記陰極板３０及び陽極板２０は、該増幅器７０と電気接続された後、揚水モジュール５０の制御ボード５４と電気接続され、該増幅器７０によって、陰極板３０及び陽極板２０から発する電圧を増幅する。また、前記増幅器７０は、非常用照明装置の運転時において、外部の電気装置（例えば、携帯電話など）のプラグが挿し込んで充電するためのソケット７１を備える。
【００２７】
本考案に係る実施例はさらにケース８０を有する。尚、前記発光部材６０及び増幅器７０のソケット７１はケース８０に設置されると共に、前記本体１０の注ぎ管１４１はケース８０の上部に設けられることが好ましい。
【００２８】
前記ケース８０は、内側に発光部材６０が設置される発光ダイオードレンズ８２と、前記揚水モジュール５０の制御ボード５４に連結されると共に、ソケット７１への電力供給を制御するためのスイッチ８１とを備える。
【００２９】
また、本考案に係る非常用照明装置においては、使用する前に、先ず塩水を注ぎ口１４から本体１０の第一タンク１１に注ぎ入れる必要があり、家庭用の一般電源を正常に提供している場合に、送水モジュール４０の電磁弁４１に電力を提供することから、連接線４３がピストン４２を引いて貫通孔１３を封止することができ、第一タンク１１と第二タンク１２とを連通させないように、第一タンク１１にある塩水が第二タンク１２に流入しないことを制御する。なお、家庭用の一般電源を初めで付く時に、揚水モジュール５０の制御ボード５４は、１０秒から１５秒ほどの定所の時間でポンプ５１を駆動させることがある。
【００３０】
家庭用の一般電源に異常が生じた時又は停電時などには、電磁弁４１への電力の供給が停止し、連接線４３が緩んで止水部材４２を落下させることから、該止水部材４２が貫通孔１３から離間し、第一タンク１１にある塩水を貫通孔１３を介して第二タンク１２へ流出させる。この時、前記第二タンク１２に設置された陰極板３０と陽極板２０との間に、電解液となる塩水が溜められており、その塩水により陰極板３０と陽極板２０とが化学反応を起こして発電する。その後、揚水モジュール５０の制御ボード５４により、発生した電力を発光部材６０に供給して発光ダイオード６１を発光させ、非常用照明の機能を提供する。
【００３１】
その後電源が回復した時には、再び送水モジュール４０の電磁弁４１に電力が提供されるので、連接線４３を引き上げて本体１０の貫通孔１３を封止し、この時、揚水モジュール５０のポンプ５１は、第二タンク１２における陰極板３０と陽極板２０との間の塩水を第一タンク１１へ汲み上げ、発光部材６０への電力供給を停止する。
【００３２】
続いて、前記制御ボード５４が水位測定センサ５３の感知信号を受信し、前記第二タンク１２に残された塩水がなくなったとの判断をした時、ポンプ５１の運転を停止する。
【００３３】
上述したように、本考案に係る非常用照明装置は、塩水を用いた蓄電池によって、一般電源の異常時又は停電時に、非常用電力を供給し、発光部材６０を発光させることができる。
【００３４】
さらに、本考案に係る非常用照明装置によれば、一般電源の異常時又は停電時しか、第一タンク１１にある塩水が第二タンク１２へ流入されないことから、陽極板２０及び陰極板３０が長時間に亘り塩水に浸漬されることはないので、陽極板２０及び陰極板３０の腐蝕を極力減少させることができる。故に、本考案は、環境に優しいものである。
【産業上の利用可能性】
【００３５】
本考案は上記の構成を有することから、塩水を用いた蓄電池によって、一般電源の異常時又は停電時に、非常用電力を供給できるので、環境に優しく、実用性に優れるものである。
【符号の説明】
【００３６】
１０    本体
１１    第一タンク
１２    第二タンク
１２１        水位制御室
１２２        嵌合穴
１３    貫通孔
１４    注ぎ口
１４１        注ぎ管
１４２        蓋部
１５    流入口
２０    陽極板
３０    陰極板
４０    送水モジュール
４１    電磁弁
４１１        軸体
４２    止水部材
４３    連接線
４４    補助フレーム
５０    揚水モジュール
５１    ポンプ
５２    パイプ
５３    水位測定センサ
５３１        センサ端子
５４    制御ボード
５４１        タイマー
６０    発光部材
６１    発光ダイオード
７０    増幅器
７１    ソケット
８０    ケース
８１    スイッチ
８２    発光ダイオードレンズ
【図１】
0003167289.tif 000003
【図２】
0003167289.tif 000004
【図３】
0003167289.tif 000005
【図４】
0003167289.tif 000006
【図５】
0003167289.tif 000007